(57)【特許請求の範囲】
【請求項１】
本体前面に紙葉類を挿入する紙葉類挿入口を形成した自動販売機の紙葉類挿入装置において、
前記紙葉類挿入口に開閉可能な紙葉類挿入口扉を設けると共に、この紙葉類挿入口扉を前記紙葉類挿入口から退避させて収納し前記紙葉類挿入口を全開状態に維持固定する扉固定機構を設け、前記紙葉類挿入口扉の不使用時に前記扉固定機構により紙葉類挿入口扉を紙葉類挿入口から退避させて収納することを特徴とする自動販売機の紙葉類挿入装置。
【請求項２】
前記紙葉類挿入口扉の支軸が軸受けに軸支され前記紙葉類挿入口に開閉可能な紙葉類挿入口扉を有すると共に、前記紙葉類挿入口扉の支軸を前記軸受けから取り外し取り付け自在とする機構と、前記紙葉類挿入口扉の不使用時に前記紙葉類挿入口の全開状態を維持するように取り外した前記紙葉類挿入口扉をスライドさせて収納する収納スペースとを設けたことを特徴とする請求項１記載の自動販売機の紙葉類挿入装置。
【請求項３】
前記紙葉類挿入口扉の支軸が軸受けに軸支され前記紙葉類挿入口に開閉可能な紙葉類挿入口扉を有する機構と、前記紙葉類挿入口扉の不使用時に前記紙葉類挿入口の全開状態を維持するように前記紙葉類挿入口扉を前記紙葉類挿入口の外側に固定して収納する扉固定機構を設けたことを特徴とする請求項１記載の自動販売機の紙葉類挿入装置。
【請求項４】
本体前面に取出口を形成した自動販売機の取出装置において、
前記取出口に開閉可能な取出口扉を設けると共に、この取出口扉を前記取出口から退避させて収納し前記取出口を全開状態に維持固定する扉固定機構を設け、前記取出口扉の不使用時に前記扉固定機構により取出口扉を取出口から退避させて収納することを特徴とする自動販売機の取出装置。
【請求項５】
前記扉固定機構は、前記取出口扉の背面に設けた一方の係合部と、前記取出口の内側上部で、かつ、前記一方の係合部に対向する位置に設けた他方の係合部とにより固定することを特徴とする請求項４記載の自動販売機の取出装置。
【発明の詳細な説明】
【０００１】
【発明の属する技術分野】
本発明は、紙幣やカード等の紙葉類を挿入する紙葉類挿入口と硬貨や商品を取出す取出口とに設ける自動販売機の紙葉類挿入装置及び取出装置に関する。
【０００２】
【従来の技術】
近年、硬貨のみならず紙幣を扱う自動販売機が普及しつつある。この種の自動販売機は、一般に、本体前面に開閉自在とする扉体に金銭授受部が設けられ、この金銭授受部に設けられる紙幣挿入口から紙幣を挿入する。従来、自動販売機は、屋外や軒下に設置されることが多く、紙幣挿入口を開口したままでは、強雨時や強風時、さらに、雨水、塵埃の侵入を防ぐことができない。このために通常紙幣挿入口には、紙幣挿入口扉が開閉自在に設けられている。また、同様に硬貨返却口についても雨水や塵埃の侵入防止のために硬貨返却口扉が内側に開閉自在に設けられている。
【０００３】
【発明が解決しようとする課題】
しかし、自動販売機を屋内等に設置する場合、上記した雨水や塵埃をあまり考慮する必要がなく、紙幣を挿入するときに紙幣挿入口扉が邪魔となるということがある。このために、屋内に設置するときや屋外から屋内へ設置変更するとき、顧客から紙幣挿入口扉を外してほしいという要望があるが、紙幣挿入口扉を外すには、かなりの手間を要する。また、紙幣挿入口扉を取り外すと取り外した紙幣挿入口扉や取付部品類が紛失してしまい、逆に、屋外等へ自動販売機を設置変更する場合にわざわざ部品の調達をしなければならないこともある。
【０００４】
以上のことは硬貨返却口扉についても同様であり、屋内等の設置では、硬貨返却口から釣銭を受け取る際に爪等が硬貨返却口扉に当たり邪魔で硬貨返却口扉を外してほしいとの要望がある。ところが、硬貨返却口扉を外すにはコインシュートを外し硬貨返却口扉を外さなければならず、かなりの手間を要し、また、硬貨返却口扉を外すと屋外に設置変更のとき紛失等のために新たに硬貨返却口扉や部品を調達しなければならない等の問題がある。
【０００５】
そこで、本発明は、紙葉類挿入口扉や取出口扉を通常と同様に用い、使用状況に応じて紙葉類挿入口や取出口の全開状態を維持するように紙葉類挿入口扉や取出口扉を退避させ固定する自動販売機の紙葉類挿入装置及び取出装置を提供することを目的とする。
【０００６】
【課題を解決するための手段】
請求項１の発明は、本体前面に紙葉類を挿入する紙葉類挿入口を形成した自動販売機の紙葉類挿入装置において、前記紙葉類挿入口に開閉可能な紙葉類挿入口扉を設けると共に、この紙葉類挿入口扉を前記紙葉類挿入口から退避させて収納し前記紙葉類挿入口を全開状態に維持固定する扉固定機構を設け、前記紙葉類挿入口扉の不使用時に前記扉固定機構により紙葉類挿入口扉を紙葉類挿入口から退避させて収納するようにしたものである。
【０００７】
請求項２の発明は、請求項１の発明において、紙葉類挿入口扉の支軸が軸受けに軸支され前記紙葉類挿入口に開閉可能な紙葉類挿入口扉を有すると共に、前記紙葉類挿入口扉の支軸を前記軸受けから取り外し取り付け自在とする機構と、前記紙葉類挿入口扉の不使用時に前記紙葉類挿入口の全開状態を維持するように取り外した前記紙葉類挿入口扉をスライドさせて収納する収納スペースとを設けるようにしたものである。
【０００８】
請求項３の発明は、請求項１の発明において、紙葉類挿入口扉の支軸が軸受けに軸支され前記紙葉類挿入口に開閉可能な紙葉類挿入口扉を有する機構と、前記紙葉類挿入口扉の不使用時に前記紙葉類挿入口の全開状態を維持するように前記紙葉類挿入口扉を前記紙葉類挿入口の外側に固定して収納する扉固定機構を設けるようにしたものである。
【０００９】
請求項４の発明は、本体前面に取出口を形成した自動販売機の取出装置において、前記取出口に開閉可能な取出口扉を設けると共に、この取出口扉を前記取出口から退避させて収納し前記取出口を全開状態に維持固定する扉固定機構を設け、前記取出口扉の不使用時に前記扉固定機構により取出口扉を取出口から退避させて収納するようにしたものである。
【００１０】
請求項５の発明は  請求項４の発明において、扉固定機構は、取出口扉の背面に設けた一方の係合部と、取出口の内側上部で、かつ、一方の係合部に対向する位置に設けた他方の係合部とにより固定するようにしたものである。
【００１１】
【発明の実施の形態】
図１は本発明の第１実施例を示す自動販売機の正面全体図、図２は紙幣挿入装置の内部正面図、図３は同側断面図であって、１は自動販売機の本体にして、本体１内には販売商品を収納する商品収納コラムや商品送出装置等を収設している。２は本体１の前面の開口部を開閉自在とする扉体で、扉体２の前面には、商品展示室３が形成され、展示台４に商品見本５が載置され、展示台４の前面に商品選択スイッチ６が設けられ、商品展示室３の前方が透明アクリルパネル７により覆われている。
【００１２】
８は扉体２の中央右側のコーナに設けられる金銭授受部で、この金銭授受部８は扉体２に固定される前面板体９に後述する紙葉類としての紙幣を挿入する紙幣挿入装置１０や硬貨投入口１１や返却レバー１２や投入金額や釣銭切れ等を表示する表示器１３やキー１４がそれぞれ配置されている。そして、１５は扉体２の下部左側に設けられる後述する硬貨返却口であり、１６は商品を取り出す商品販売部である。
【００１３】
紙幣挿入装置１０は、図２または図３に示すように、前面板体９に形成される開口に紙幣挿入部１７が、内側から四ケ所でビス１８により固定されている。具体的には、紙幣挿入部１７の前面部分は、図４に示すように、紙幣挿入部１７に一体形成される左側カバー１９の上下にボス２０ａ，２０ｂを有し、右側カバー２１の上下にボス２２ａ，２２ｂをそれぞれ有し、図４のＡ−Ａ方向断面を示す図５に示すように前面板体９にビス１８によって上下で固定されている。なお、図２では、前面板体９と後述する内側固定板３７と内側固定板４２とを図示省略している。
【００１４】
さらに、紙幣挿入部１７は、前面の上部に上側カバー２５が左側カバー１９と右側カバー２１と一体的に形成されて、上側カバー２５の下部の中央に後述する係合部２６を形成している。また、上記上側カバー２５の下部と左側カバー１９の内側と右側カバー２１の内側には、紙幣挿入口扉２８を前方へ開閉自在にするように紙幣挿入口扉２８の端部に設ける支軸２９が左側カバー１９と右側カバー２１とに形成される軸受３０へ軸支されている。
【００１５】
すなわち、図６に示す部分拡大説明図のように、右側カバー２１の裏側に形成される軸受３０は、上下に突出する突部３０ａに挟持されて支軸２９の両端部に形成される支軸２９ａを回動自在とし、前面板体９の裏側から締められたビス３１によって支軸２９ａが脱落しないようにしている。この軸受３０は、左側カバー１９にも形成され支軸２９の端部を挟持して紙幣挿入口扉２８を回動自在としている。
【００１６】
紙幣挿入部１７は、図３に示すように紙幣挿入口扉２８の後方に紙幣が挿入される紙幣挿入口３２を有して紙幣の挿入が検出されるとローラが回転して紙幣を受け入れる駆動機構部３３を設けている。この駆動機構部３３は、紙幣識別機を有し、本物の紙幣を収納する等の機能を有する紙幣収納部３４に取付けられる取付板３５に締着部材３６によって固定され、紙幣収納部３４の上部では、前面板体９に内側固定板３７にビス３８によって取付けられる取付板３９を介してＬ金具４０とビス３８によって取付けられている。さらに、紙幣収納部３４の下部では、前面板体９に内側固定板４２にビス３８によって取付けられる取付板４３を介してＬ金具４０にビス３８によって取付けられている。
【００１７】
なお、図２に示す符号３８ａは、ビス穴を示し、図３に示す符号４６は紙幣識別機等や駆動機構部３３を制御する制御信号を入出力するケーブル、４７は紙幣収納部３４から紙幣を取出すときに用いるロック解除機構である。
【００１８】
以上の構成による紙幣挿入装置１０の作用を図７及び図８を参照して説明する。まず、通常、紙幣挿入口扉２８を用いるとき、図７に示すように、ビス３１が前面板体９へ締め付けられており、紙幣挿入口扉２８は図６に示す軸受３０によって軸支され、下部裏側がストッパ４８へ当接すると共に、前面上方の図７に示す矢印方向へ開動作可能となっている。紙幣を投入するとき商品購入者は、この紙幣挿入口扉２８の突起部２８ａを挟持して前方へ紙幣挿入口扉２８を持ち上げ紙幣を紙幣挿入口３２から内側へ挿入する。そして、紙幣を挿入して持ち上げた紙幣挿入口扉２８を離すと自重で下方へ戻り紙幣挿入口３２の前面が閉じられる。これにより、屋外に自動販売機を設置してもこの紙幣挿入口扉２８によって、雨や塵埃の侵入が防止される。
【００１９】
次に、自動販売機を屋内に設置し、紙幣挿入口扉２８が不要になったとき、図７に示す状態から図６で説明したビス３１を緩める。すなわち、図４のＢ−Ｂ方向からの断面図である図８の左側（Ａ）に示すように、前面板体９の裏側からビス３１が緩められると、軸受３０の後方に隙間４９が形成され軸受３０から支軸２９が外され、紙幣挿入口扉２８が外れる。そして、紙幣挿入口扉２８の下方を持って図８に示す隙間４９を潜るようにして上方へ持ち上げると図８の中央（Ｂ）に示すように紙幣挿入口扉２８が上側カバー２５と背面の前面板体９との間に収納され、紙幣挿入口扉２８の下端の突起部２８ａを上側カバー２５に形成される爪状の係合部２６に係合させる。
【００２０】
さらに、図８の右側（Ｃ）に示すようにビス３１を締めると、隙間４９がなくなり、紙幣挿入口扉２８が確実に上側カバー２５の内側と背面の前面板体９との間に収納され、振動等によって移動することのないようにできる。また、逆に屋内等から屋外等へ設置変更するときは、ビス３１を緩めることにより隙間４９から紙幣挿入口扉２８を取り出して図７に示す状態とする。
【００２１】
このように第１実施例によれば、自動販売機を屋外等に設置するとき紙幣挿入口扉２８を用いて紙幣挿入口３２を開閉可能とする一方、屋内等に設置するときは、紙幣挿入口扉２８に形成される支軸２９を軸支する軸受３０に設けるビス３１を緩めて隙間４９を形成させてこの隙間４９を利用して紙幣挿入口扉２８を収納することができる。従って、簡単な作業で紙幣挿入口扉２８を外し、取付けができしかも取り出した紙幣挿入口扉２８が紛失することがない。
【００２２】
図９及び図１０は本発明の第２実施例を示す図であって、紙幣挿入装置１０Ａは、左側カバー１９と右側カバー２１の内側に形成される開口部の全体を開閉可能とするもので、図６に示すと同様の軸受３０が左側カバー１９と右側カバー２１の上部に形成され、紙幣挿入口扉２８Ａが軸受３０を支点として前面上方へ開動作するようになっている。また、紙幣挿入装置１０Ａは、紙幣挿入部１７Ａの後方上部に後述する紙幣挿入口扉２８Ａを収納するスペースを有する収納箱５０を設けている。なお、図９は、図１０に示す前面板体９と内側固定板４５と内側固定板４２とを図示省略している。
【００２３】
収納箱５０は、前面板体９に裏面に固定される内側固定板４５に対して収納箱５０から水平方向へ延設される取付板４１がビス穴４１ａを介してビス３８により取付けられ、さらに、内側固定板４５に対して収納箱５０から垂直に延びる取付板４４がビス穴４４ａを介してビス３８によって取付けられている。
【００２４】
以上の構成によって、通常屋外等に自動販売機を設置するとき、図６に示したと同様のビス３１が締められており、軸受３０内で支軸２９を中心にして紙幣挿入口扉２８Ａが前面上方へ開動作する。これによって、紙幣挿入口扉２８Ａによって雨や塵埃の侵入が阻止される。
【００２５】
一方、自動販売機を屋内に設置する等で紙幣挿入口扉２８Ａが不要となったとき図６に示したと同様のビス３１を緩めて隙間４９を形成する。次に、紙幣挿入口扉２８Ａの下部を持って上方の収納箱５０に形成されるスペースへ収納されるように押し込むと、図１０に示すように紙幣挿入口扉２８Ａが挿入される。そして、紙幣挿入口扉２８Ａの支軸２９が収納箱５０の上端に設ける弾性を有する突起部５０ａに係合される。
【００２６】
これによって、紙幣挿入装置１０Ａの前面の紙幣挿入口扉２８を収納する。また、このように取り外され収納された紙幣挿入口扉２８Ａを再び必要により取付けるときは、ビス３１を緩めることにより収納箱５０から紙幣挿入口扉２８Ａを取り出し、紙幣挿入口扉２８Ａを取付ける。
【００２７】
このように第２実施例によれば、紙幣挿入口扉２８Ａが不要となったとき簡単な作業で取り外し、収納箱５０へ収納することができ、紙幣挿入口扉２８Ａが紛失することがなく再び紙幣挿入口扉２８Ａを簡単な作業で取付けることができる。
【００２８】
図１１及び図１２は、本発明の第３実施例を示す図であって、紙幣挿入装置１０Ｂは、左側カバー１９と右側カバー２１と上側カバー２５との内側に形成される開口部を開閉可能とするもので、図６に示すと同様の軸受３０が左側カバー１９と右側カバー２１の中央内側にそれぞれ形成され、軸受３０を支点として紙幣挿入口扉２８が前面上方へ開動作可能となっている。また、紙幣挿入装置１０Ｂは、紙幣挿入部１７Ｂに後述する紙幣挿入口扉２８を必要によって固定する可動固定部５１を設けている。
【００２９】
この可動固定部５１は、長方形状で上側カバー２５の上部を覆うカバー状のもので、左右にそれぞれボス５２を形成して前面板体９の裏面からビス５３によって固定できるようになっている。
【００３０】
この構成によれば、通常時には、図６に示すと同様のビス３１が締められ軸受３０内で支軸２９を支点として紙幣挿入口扉２８が前面上方へ開動作して図１３に示す（Ａ）の状態から図１３に示す（Ｂ）の状態となり、紙幣挿入口扉２８の突起部２８ａが可動固定部５１の前面に当接して止められる。従って、第１実施例および第２実施例と同様の動作がされ、雨や塵埃の侵入が防止される。
【００３１】
次に、自動販売機を屋外等へ設置するために紙幣挿入口扉２８が不要となったとき、図１３の（Ｃ）に示す状態のように可動固定部５１を前面板体９へ固定するビス５３を緩めて、図示想像線のように一時可動固定部５１を上方へ移動させ、さらに、紙幣挿入口扉２８を上側カバー２５の表面へ当接させて押さえつつ、可動固定部５１を再び下方の元の位置に戻してビス５３によって可動固定部５１のボス５２へ締めて可動固定部５１を固定する。この結果、紙幣挿入口扉２８が図１３の（Ｃ）の状態となり、可動固定部５１の内側と上側カバー２５の外側との内で挟持され固定される。
【００３２】
このように第３実施例によれば、紙幣挿入口扉２８が不要となったとき簡単な作業で、紙幣挿入口扉２８を取り外しでき、紙幣挿入口扉２８が必要となったとき即座に紙幣挿入口扉２８を取付けすることができる。特に、本実施例では、紙幣挿入口扉の支軸がスプリングによって閉方向へ付勢される紙幣挿入口扉について適用することができる。また、第１実施例から第３実施例では、紙弊挿入装置について説明したが、本発明はこれに限らず、一般に、紙葉類と呼ばれる各種カード類や商品券等にも同様に適用することができる。
【００３３】
図１４は、本発明の第４実施例を示す断面図であって、５４は図１によって説明した自動販売機本体１の扉体２の下部右側に配置される硬貨返却口１５を有する硬貨返却装置で、硬貨返却装置５４は、硬貨返却口１５の奥内には釣銭若しくは返却された硬貨を硬貨返却口１５へまで導く硬貨シュート５５と底部５５ａからなる返却硬貨受け５６と後述する透明なプラスチックからなる硬貨返却口扉５７とから構成されている。
【００３４】
硬貨返却口扉５７は、上部に支軸５８を有した板状体で中央で後方に折曲部５９を形成し、前方へ僅かに突出した突出部６０と背面にボス６１を形成し、扉体２に固定される枠体６２の上部に設ける軸受け６４に軸支され、突出部６０が枠体６２の下部に形成される折曲部６２ａに当接してストッパーとなり図示反時計方向へ回動自在となっている。
【００３５】
この構成により、硬貨返却口扉５７が屋外からの雨や塵埃の侵入を防止する一方、商品購入者は、外方から手を入れて硬貨返却口扉５７を後退させて、返却硬貨受け５６の底部５５ａから返却硬貨や釣銭を取り出すことができる。
【００３６】
一方、自動販売機を屋内に設置する場合等で、硬貨返却口扉５７が不要となったとき、硬貨返却口扉５７を前方から後方へ押して二点鎖線で示すようにボス６１の上部が返却硬貨受け５６の内側の上部に当接させるようにする。この状態で扉体２の裏側から返却硬貨受け５６の硬貨返却口扉５７のボス６１の対向する位置に形成されるビス穴にビス６５を挿入してボス６１に固定する。
【００３７】
この結果、硬貨返却口扉５７の前面が常に開口しているから硬貨を返却硬貨受け５６の底部５５ａから取り出すとき邪魔になるものがなく容易に硬貨を取り出すことができる。また、屋外へ自動販売機を配置変えするときには、ビス６５を緩めるだけで簡単に本来の硬貨返却口扉５７の機能を回復することができる。なお、第４実施例では、硬貨返却装置について説明したが、本発明はこれに限らず本体前面に取出口を有するもの、例えば、商品を取出す商品販売部に本発明を同様に適用することができる。
【００３８】
【発明の効果】
以上説明したように請求項１に発明によれば、紙葉類挿入口扉の不使用時に前記扉固定機構により紙葉類挿入口扉を紙葉類挿入口から退避させて収納するように構成し、紙葉類挿入口扉を使用しない使用状況の場合には、紙葉類挿入口扉を退避させて紙葉類挿入口の全開状態を維持させるようにしたから紙葉類を挿入する際に邪魔をするものはなくなり、また、必要により紙葉類挿入口扉を開閉可能とすることもできる。
【００３９】
また、請求項２の発明によれば、紙葉類挿入口扉を取外し取付け自在として取外した紙葉類挿入口扉を収納するようにしたから簡単な作業で紙葉類挿入口扉を取付け取外しでき、取外した紙葉類挿入口扉が紛失するおそれがなくなる。
【００４０】
また、請求項３の発明によれば、紙葉類挿入口扉を取付けた状態のままで、紙葉類挿入口扉を紙葉類挿入口の外側へ取付けるようにしたから紙葉類挿入口の全開状態を維持させることが簡単な作業でできる。
【００４１】
また、請求項４の発明によれば、取出口扉の不使用時に前記扉固定機構により取出口扉を取出口から退避させて収納するように構成し、取出口扉を使用しない使用状況の場合には、取出口扉を退避させて取出口の全開状態を維持させるようにしたから物を受け取る際に邪魔をするものはなくなり、また、必要により取出口扉を開閉可能とすることもできる。
【００４２】
また、請求項５の発明によれば、取出口扉を取出口の内側上方に固定するようにしたから簡単な作業で取出口を全開状態とすることができる。
【図面の簡単な説明】
【図１】本発明を適用する自動販売機の全体正面図。
【図２】本発明の第１実施例を示す紙幣挿入装置の内部正面図。
【図３】図２に示す紙幣挿入装置の側断面図。
【図４】図２の紙幣挿入装置に備える紙幣挿入部の拡大正面図。
【図５】図４のＡ−Ａ方向断面図。
【図６】紙幣挿入口扉の軸受を示す拡大説明図。
【図７】図４のＢ−Ｂ方向断面図。
【図８】本発明の第１実施例の作用を示す説明図。
【図９】本発明の第２実施例を示す紙幣挿入装置の内部正面図。
【図１０】図９に示す紙幣挿入装置の側断面図。
【図１１】本発明の第３実施例を示す紙幣挿入装置の内部正面図。
【図１２】図１１に示す紙幣挿入装置の側断面図。
【図１３】本発明の第３実施例の作用を示す説明図。
【図１４】本発明の第４実施例を示す紙幣返却装置の側断面図。
【符号の説明】
１  本体
２  扉体
３  商品展示室
４  展示台
５  商品見本
６  商品選択スイッチ
７  透明アクリルパネル
８  金銭授受部
９  前面板体
１０，１０Ａ，１０Ｂ  紙幣挿入装置
１１  硬貨投入口
１２  返却レバー
１３  表示器
１４  キー
１５  硬貨返却口
１６  商品販売部
１７，１７Ａ，１７Ｂ  紙幣挿入部
１９  左側カバー
２１  右側カバー
２５  上側カバー
２６  係合部
２８，２８Ａ  紙幣挿入口扉
２９  支軸
３０  軸受
３０ａ  突部
３１，５３，６３，６５  ビス
３２  紙幣挿入口
３３  駆動機構部
３４  紙幣収納部
４８  ストッパ
４９  隙間
５０  収納箱
５４  硬貨返却装置
５５  硬貨シュート
５５ａ  底部
５６  返却硬貨受け
５７  硬貨返却口扉
【図１】
0003800645.tif 000002
【図２】
0003800645.tif 000003
【図３】
0003800645.tif 000004
【図４】
0003800645.tif 000005
【図５】
0003800645.tif 000006
【図６】
0003800645.tif 000007
【図７】
0003800645.tif 000008
【図８】
0003800645.tif 000009
【図９】
0003800645.tif 000010
【図１０】
0003800645.tif 000011
【図１１】
0003800645.tif 000012
【図１２】
0003800645.tif 000013
【図１３】
0003800645.tif 000014
【図１４】
0003800645.tif 000015